(57)【要約】      （修正有）【課題】簡易に、どこでも使用でき、特に、屋内遊技場や射的場等において使用できるバネ式ライフル銃玩具を提供する。【解決手段】バネ式ライフル銃玩具において、底部に所定長の開口溝を有する銃身２と、当該銃身２の開口溝に所定の間隙である撃鉄係止間隙４をもって対向する所定長の開口溝を有し、内部に所定伸縮力のバネが収容されるバネ収納筒３と、間隙を挟んで銃身２及びバネ収納筒３の内部を開口溝方向に摺動可能に一体に形成され、間隙に挿入される撃鉄係止具８によって、銃の引き金６位置で係合される発射弾を押し出す係止撃鉄５とからなり、係止撃鉄５の係合後、所定位置の弾込孔から弾込めの後に、引き金６を引くことによって、係合が解除され、弾込孔から挿入された発射弾がバネの伸縮力によって銃身２の銃口から発射される。【選択図】図１
0003191426.tif 000002
【実用新案登録請求の範囲】
【請求項１】
底部に所定長の開口溝を有する銃身と、
当該銃身の開口溝に所定の間隙をもって対向する所定長の開口溝を有し、内部に所定伸縮力のバネが収容されるバネ収納筒と、
前記間隙を挟んで前記銃身及び前記バネ収納筒の内部を開口溝方向に摺動可能に一体に形成され、前記間隙に挿入される係止具によって、銃の引き金位置で係合される発射弾を押し出す係止撃鉄とからなり、
前記係止撃鉄の係合後、所定位置の弾込孔から弾込めの後に、引き金を引くことによって、前記係合が解除され、弾込孔から挿入された発射弾がバネの伸縮力によって前記銃身の銃口から発射されることを特徴とするバネ式ライフル銃玩具。
【請求項２】
前記銃身銃口直下には、前記係止撃鉄を引き金位置で係合するための足引きかけ具が、取り外し自在に配置されたことを特徴とする請求項１に記載のバネ式ライフル銃玩具。
【請求項３】
前記係合は、前記係止撃鉄と一体に形成される摺動筒部材後端に形成された係合孔と、前記引き金に連動する鈎形係止片または段差係止片とからなり、所定位置で引き金と係合され、引き金が引かれることにより係合が解除されるものであることを特徴とする請求項１に記載のバネ式ライフル銃玩具。
【請求項４】
前記請求項１に記載のバネ式ライフル銃玩具における前記バネに替え、ゴム部材を配置し、ゴム伸縮により発射弾が銃身銃口から発射されることを特徴とするライフル銃玩具。
【考案の詳細な説明】
【技術分野】
【０００１】
本考案は、銃玩具、特に、バネ式ライフル銃玩具及び当該バネ式ライフル銃玩具に組み込まれる銃身及び弾発射装置に関する。
【背景技術】
【０００２】
従来、銃玩具としては、ポンプ圧縮による空気銃玩具の外に、専用のエア用高圧ボンベを取り付け可能にしたエアライフル銃やエアピストル銃のいわゆる空気銃玩具が知られている。
【０００３】
この種の空気銃玩具としては、例えば、特開２００２-１３８９９号公報に記載のものが知られている。当該特開２００２-１３８９９号公報に開示のものは、発明名称「空気銃玩具、銃身及び玉発射装置」に係り、「使用場所が限定されず、且つ操作も簡単な空気銃玩具、及びその空気銃玩具の構成部品を提供することを目的とする」発明解決課題において(同公報明細書段落番号０００４参照）、「銃身と、先端側が前記銃身内に挿入され且つ後端側の操作部が前記銃身の後部から突出し前記銃身の軸線方向に往復動作可能な押し棒とを備え、前記銃身の銃口近くに保持されたゴム製の玉を、当該玉の後方位置に装填されたゴム製の他の玉を前記押し棒で押し込みこれら２つの玉の間に存在する空気の圧力を高めることにより、前記銃口から発射するように構成された空気銃玩具であって、前記銃身の外周には、前記銃口から後方に所定距離隔てた位置に玉装填口が設けられている」構成をとることにより(同公報特許請求の範囲の請求項１に記載等参照)、「紙を水に濡らす作業や紙を丸める作業が不要となり、また、押し棒を銃身から抜くことなく、玉を銃身に装填できるので、手軽にどこでも楽しめる」等の効果を奏するものである(同公報明細書段落番号００３０〜００３７参照）。
図１０は、同公報に図３として開示される開示発明の第２実施形態の空気銃玩具の側面図を示すものであり、図１０において、符号２００は、空気銃玩具、２１０，２２０，２３０，２４０，２５０は、構成パーツ（空気銃玩具）である。
しかしながら、この種の空気銃玩具であっても、最近の空気銃玩具は、玩具の範疇を超え、高性能な高圧のエアボンベを利用する製品が出現したりして、殺傷能力の面から規制を受けることが多く、簡易に、どこでも使用できるとは言えなかった。特に、所定の広さを有する屋内遊技場や射的場等において使用できるものではなかった。
【先行技術文献】
【特許文献】
【０００４】
【特許文献１】特開２００２-１３８９９号公報
【考案の概要】
【考案が解決しようとする課題】
【０００５】
本考案は、上記のような従来技術上の問題点に鑑み、簡易に、どこでも使用でき、特に、屋内遊技場や射的場等において使用できるバネ式ライフル銃玩具を提供することを目的とする。
【課題を解決するための手段】
【０００６】
上記の目的を達成するために、本願請求項１に係る考案は、バネ式ライフル銃玩具において、底部に所定長の開口溝を有する銃身と、当該銃身の開口溝に所定の間隙をもって対向する所定長の開口溝を有し、内部に所定伸縮力のバネが収容されるバネ収納筒と、前記間隙を挟んで前記銃身及び前記バネ収納筒の内部を開口溝方向に摺動可能に一体に形成され、前記間隙に挿入される係止具によって、銃の引き金位置で係合される発射弾を押し出す係止撃鉄とからなり、前記係止撃鉄の係合後、所定位置の弾込孔から弾込めの後に、引き金を引くことによって、前記係合が解除され、弾込孔から挿入された発射弾がバネの伸縮力によって前記銃身の銃口から発射されることを特徴とする。
また、本願請求項２に係る考案は、前記請求項１に係るバネ式ライフル銃玩具において、前記銃身銃口直下には、前記係止撃鉄を引き金位置で係合するための足引きかけ具が、取り外し自在に配置されたことを特徴とする。
さらに、本願請求項３に係る考案は、前記請求項１に係るバネ式ライフル銃玩具において、前記係合は、前記係止撃鉄と一体に形成される摺動筒部材後端に形成された係合孔と、前記引き金に連動する鈎形係止片または段差係止片とからなり、所定位置で引き金と係合され、引き金が引かれることにより係合が解除されるものであることを特徴とする。
そして、本願請求項４に係る考案は、ライフル玩具において、前記請求項１に係るバネ式ライフル銃玩具における前記バネに替えてゴム部材を配置し、ゴム伸縮により発射弾が銃身銃口から発射されることを特徴とする。
【考案の効果】
【０００７】
本考案に係るバネ式ライフル銃玩具は、上記の構成からなるものであるため、手軽にどこでも使用でき、特に、屋内遊技場や射的場等において使用可能な銃玩具を提供できるという効果を有する。
【図面の簡単な説明】
【０００８】
【図１】図１は、本考案に係るバネ式ライフル銃玩具を実施するための形態の一実施例であるバネ式ライフル銃玩具の実施例１を示す概略図である。
【図２】図２は、本実施例１に係るバネ式ライフル銃玩具１の弾発射に係る一連の動きを説明するための概略断面図である。
【図３】図３は、前記銃身２及びバネ収納筒３の断面概略図である。。
【図４】図４は、前記係止撃鉄５及び摺動筒部材１２を銃口方向から見の概略図である。
【図５】図５は、同平断面図である。
【図６】図６は、銃身２の銃口直下に足引きかけ具１８を配置する概略を示す図である。
【図７】図７は、足引きかけ具１８に足を引きかけ、前記撃鉄係止具８を前記撃鉄係止間隙４の間に滑り込ませ、前記係止撃鉄５を前記引き金６方向に引っ張る様子を示す作業状態図である。
【図８】図８は、本実施例１に係るバネ式ライフル銃玩具１の前記引き金６に連動する前記係止片１３及び当該係止片１３を常時引きつける引き金バネ１４に替え、陥没式の前記係止片２３及び押し上げバネ２４とした実施例２に係るバネ式ライフル銃玩具２０の概略断面図である。
【図９】図９は、本実施例３に係るライフル銃玩具３０の概略断面図である。
【図１０】図１０は、特開２００２-１３８９９号公報に図３として開示される開示発明の第２実施形態の空気銃玩具の側面図である。
【考案を実施するための形態】
【０００９】
本考案に係るバネ式ライフル銃玩具をその実施するための形態である一実施例を図面に基づき詳細に説明する。
【実施例１】
【００１０】
図１は、本考案に係るバネ式ライフル銃玩具を実施するための形態の一実施例であるバネ式ライフル銃玩具の実施例１を示す概略図である。図１において、符号１は、本実施例１に係るバネ式ライフル銃玩具であり、２は、銃身、３は、バネ収納筒、４は、撃鉄係止間隙、５は、係止撃鉄、６は、引き金、７は、銃床、８は、撃鉄係止具、９、１０は、所定の間隙である前記撃鉄係止間隙４を保持しつつ前記銃身２と前記バネ収納筒３を支える支持具である。
【００１１】
本実施例１に係るバネ式ライフル銃玩具１は、図１から明らかなように、発射する弾が込められる前記銃身２の底部に所定長の開口溝を設ける一方、この開口溝に対向して前記バネ収納筒３の上部にも同所定長の開口溝を設け、この両開口溝の間の前記撃鉄係止間隙４に、その間を摺動可能に配置され、所定位置で係合される前記係止撃鉄５が、前記バネ収納筒３に配置されるバネ部材の伸縮により銃身所定位置に込められた弾発射を可能とするものである。
【００１２】
図２は、本実施例１に係るバネ式ライフル銃玩具１の弾発射に係る一連の動きを説明するための概略断面図である。図２においては、一部の部材（具体的には、前記係止撃鉄５と一体に構成される後述する摺動筒部材等）の動きを一点鎖線で示して一連の動きを説明せんとするものであり、図２において、符号１〜１０は、図１に示したと同じ部材である。
【００１３】
その余の符号１１は、バネ材、１２は、前記係止撃鉄５と一体に形成される摺動筒部材であり、前記引き金６近辺まで引かれて係止される。また、１３は、前記引き金６に連動する係止片であり、１４は、当該係止片１３を常時引きつける引き金バネ、１５は、前記摺動筒部材１２の後端に配置され、前記係止片１３に係合する係合孔、１６は、弾込孔、１７は、弾である。
弾込め作業及び弾発射の様子の理解が容易なように、前記銃身２及びバネ収納筒３の概略断面、前記係止撃鉄５及び摺動筒部材１２の概略を図面に基づいて説明する。図３は、前記銃身２及びバネ収納筒３の断面概略図、図４は、前記係止撃鉄５及び摺動筒部材１２を銃口方向から見の概略図、図５は、同平断面図である。
【００１４】
図２から明らかなように、前記摺動筒部材１２は、前記銃身２内を摺動される前記係止撃鉄５と一体に形成され、当該摺動筒部際１２が前記バネ収納筒３内を摺動されるに伴って前記銃身２内を前記係止撃鉄５も摺動され、その前に配置される発射弾１７を銃口より外に押し出す部材である。また、当該摺動筒部材１２は、後端に所定形状の前記係合孔１５を有する。そして、引き金６に連動する前記係止片１３は、先端が鈎形に形成され，先端鈎形が所定位置に到来したときに前記当該係合孔１５に係合される構造となっている。
前記係止片１３が前記係合孔１５に係合されると、前記弾込め孔１６から弾１７が銃身２の所定位置に配置され、前記引き金６を引くことにより，係合が解除され、前記バネ材１１の伸縮力により、前記係止撃鉄５を前方に押し出し前記発射弾１７が銃身２の銃口から発射される。
【００１５】
図２〜図５に基づいて、一連の弾込作業及び弾発射を説明する。
まず、前記撃鉄係止具８を前記撃鉄係止間隙４の間に外部から滑り込ませ、前記係止撃鉄５を前記引き金６方向に引っ張る。前記係止撃鉄５の移動に伴って前記摺動筒部材１２は前記引き金６方向に移動し、これと一体に形成される前記係合孔１５が、前記係止片１３を押し上げ、所定位置で係合される。この状体で、前記弾込孔１６から発射する前記弾１７を前記銃身２内の前記係止撃鉄５の前方に押し込め弾込作業を行う。
【００１６】
なお、このような弾込め作業における前記係止片１３が前記係合孔１５への係合には、前記バネ材１１の伸縮力に抗して前記係止撃鉄５を前記引き金６方向に引く大きな牽引力を必要とすることでもあり、本実施例１に係るバネ式ライフル銃玩具１においては、前記銃身２の銃口直下に取り外し自在の足引きかけ具を配置するようにして、これを弾込め作業者が足先に引きかける一方、前記撃鉄係止具８を前記撃鉄係止間隙４の間に滑り込ませ、前記係止撃鉄５を前記引き金６方向に引っ張るようにしても良いものである。
【００１７】
図６は、銃身２の銃口直下に足引きかけ具１８を配置する概略を示す図であり、図７は、それを足に引きかけ、前記撃鉄係止具８を前記撃鉄係止間隙４の間に滑り込ませ、前記係止撃鉄５を前記引き金６方向に引っ張る様子を示す作業状態図である。図６，図７において、符号１は、実施例１に係るバネ式ライフル銃玩具、８は、前記撃鉄係止具、１８は、前記足引きかけ具である。
前記弾込孔１６から弾１７が弾込めされた状態で、前記引き金６を引くと、前記係止片１３と係合孔１５の係合が外れ、前記係止撃鉄５は、前記バネ部材１１の伸縮力で引っ張られ、前記係止撃鉄５の前方の前記弾１７を銃先方向に押し出し弾発射となる。
【００１８】
本実施例１に係るバネ式ライフル銃玩具１は、直径７〜９ｍｍ程度の鋼鉄球を弾として想定し、これを約３０ｍ先の皿状の的に的中させる性能を想定している。このための前記銃身２の口径は１０ｍｍ程度とし、これを引っ張る前記バネ部材１１は内径２２ｍｍ程度の前記バネ収納筒３内に収納される大きさで、かつ、バネ引き力は８０〜１５０［ポンド／ｍ］程度を想定する。
このように構成することにより、街中に所在するボーリングゲーム場を改装したクレー射撃遊戯ゲーム等に利用せんとするものである。また、本実施例１に係るバネ式ライフル銃玩具１は、前記銃床７を本物のウッドストック等からなる重厚な部材を使用する外．その余の部材等を重厚な金属仕上げなどにより仕上げて、本物志向に適う壁掛け飾り機能をも有するように仕上げるものとする。
【００１９】
なお、本実施例１に係るバネ式ライフル銃玩具１は、単発式の銃構造のものであるが、前記摺動筒部材１２及び係止片１３や係合孔１５に変更を加え、平行二連銃構造としても良く、バネの伸縮力により、鋼鉄球を発射する構造であれば、どのような構造であっても良いことはもちろんである。
【実施例２】
【００２０】
図８は、本実施例１に係るバネ式ライフル銃玩具１の前記引き金６に連動する鈎形の前記係止片１３及び当該係止片１３を常時引きつける引き金バネ１４に替え、陥没式の段差を有する前記係止片２３及び押し上げバネ２４とした実施例２に係るバネ式ライフル銃玩具２０の概略断面図である。図８において、符号２０は、本実施例２に係るバネ式ライフル銃玩具、２３は、上述の陥没式でかつ段差を有する係止片、２４は、同押し上げバネである。
【００２１】
図８から明らかなように、本実施例２に係るバネ式ライフル銃玩具２０は、弾込めの際の係合及び引き金６の解除においては、本実施例１に係るバネ式ライフル銃玩具１では、前記鈎形の係止片１３が、一旦上方向に押し上げられ、その後、前記係合孔１５に上方向から係合される構造であるが、本実施例２に係るバネ式ライフル銃玩具２０の前記当該部分の係合は、前記摺動筒部材１２が引き金６方向に引かれると、その後端に配置される前記係合孔１５の端部は、図８に示すように、前記段差を有する係止片２３を一旦押し下げ、その後、前記係合孔１５に上昇して，当該段差が係合する構造としている。
このようにすることにより、係合構造がしっかりとした構造となり、暴発等を防ぐことができ、また、確実に弾発射ができることとなる。
【実施例３】
【００２２】
本実施例１に係るバネ式ライフル銃玩具１における弾発射のバネをゴム材に替えた実施例３に係るライフル銃玩具３０について説明する。
図９は、本実施例３に係るライフル銃玩具３０の概略断面図である。図９において、符号３０は、本実施例３に係るライフル銃玩具、３１は、上述のバネ部材１１に変わるゴム部材である。
図９から明らかなように、本実施例３に係るライフル銃玩具３０は、本実施例１，２に係るバネ式ライフル銃玩具１、２０のバネの伸縮による弾発射に替え、前記バネ収納筒３内のバネ部材１１に替え、一本ないしは複数本のゴム部材３１を配置し、当該ゴム部材３１の伸縮力によって弾発射を実現しようというものである。
【００２３】
その余の構成ないし仕組みは実施例１、２に係るバネ式ライフル銃玩具１、２０を変わるところはないので、詳しい説明は省略する。
なお、上記実施例１〜３に係るライフル銃玩具においては、弾込めに際しては、前記銃身２の銃口直下に取り外し自在の足引きかけ具１８を配置して、これを弾込め作業者が足先に引きかけ、前記撃鉄係止具８を前記撃鉄係止間隙４の間に滑り込ませ、前記係止撃鉄５を前記引き金６方向に引っ張るように構成したが、大きな屋内遊技場等にあっては、近くの壁際に設置されるライフル銃形状と一致する凹み(図示外)等に当該ライフル銃玩具を嵌め込むことにより、自動的に壁から前記撃鉄係止具８と同じ形状の平形状突起が前記撃鉄係止間隙４の間に滑り込み、前記係止撃鉄５を前記引き金６方向に引っ張って自動的に前記係合孔１５が前記係止片１３に係合されるように構成しても良い。
【産業上の利用可能性】
【００２４】
本考案は、ライフル銃玩具に利用される。
【符号の説明】
【００２５】
１ 実施例１に係るバネ式ライフル銃玩具
２ 銃身
３ バネ収納筒
４ 撃鉄係止間隙
５ 係止撃鉄
６ 引き金
７ 銃床
９、１０ 支持具
１１ バネ部材
１２ 摺動筒
１３ 係止片
１４ 引き金バネ
１５ 係合孔
１６ 弾込孔
１７ 弾
１８ 足引きかけ具
２０ 実施例２に係るバネ式ライフル銃玩具
２３ 係止片
２４ 引き金バネ
３０ 実施例３に係るライフル銃玩具
３１ ゴム部材
２００ 空気銃玩具
２１０，２２０，２３０，２４０，２５０ 構成パーツ（空気銃玩具）
【図１】
0003191426.tif 000003
【図２】
0003191426.tif 000004
【図３】
0003191426.tif 000005
【図４】
0003191426.tif 000006
【図５】
0003191426.tif 000007
【図６】
0003191426.tif 000008
【図７】
0003191426.tif 000009
【図８】
0003191426.tif 000010
【図９】
0003191426.tif 000011
【図１０】
0003191426.tif 000012